【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
電子的なデータで表現された電子マネーを保持する電子マネー媒体が電子マネー端末に呈示されたとき、その電子マネー媒体の所有者の所有者情報を取得するとともに、その電子マネー媒体を呈示した者の照合対象情報を情報取得部により取得する情報取得工程と、
上記照合対象情報を上記所有者情報と照合して、上記照合対象情報が上記所有者情報と一致するか否かを判定する照合工程と、
上記照合対象情報が上記所有者情報と一致するときには、上記電子マネー媒体の使用を認める処理を行い、上記照合対象情報が上記所有者情報と一致しないときには、上記電子マネー媒体の使用を認めない処理を行う処分工程と、
を備える情報処理方法。
【請求項２】
請求項１の情報処理方法において、
上記所有者情報は、上記所有者の生体情報であり、
上記照合対象情報は、上記呈示者の生体情報である、
ことを特徴とする情報処理方法。
【請求項３】
請求項１の情報処理方法において、
上記所有者情報は、上記所有者の使用状況を示す使用状況情報であり、
上記照合対象情報は、上記電子マネー媒体が呈示されたときの状況を示す呈示状況情報である、
ことを特徴とする情報処理方法。
【請求項４】
請求項１の情報処理方法において、
上記所有者情報は、上記電子マネー媒体に記録されたものであり、
上記照合工程は、上記電子マネー媒体が呈示される電子マネー端末が実行する、
ことを特徴とする情報処理方法。
【請求項５】
請求項１の情報処理方法において、
上記所有者情報は、上記電子マネー媒体が呈示される電子マネー端末とネットワークを介して接続される管理サーバに登録されたものであり、
上記照合工程は、上記管理サーバが実行する、
ことを特徴とする情報処理方法。
【請求項６】
請求項１の情報処理方法において、
上記電子マネー媒体は、上記照合工程を含む各工程が実行されるべきロックオン状態と、上記照合工程が実行されることなく当該電子マネー媒体の使用を認める処理が実行されるべきロックオフ状態との、いずれにも設定可能とされたことを特徴とする情報処理方法。
【請求項７】
電子的なデータで表現された電子マネーを保持する電子マネー媒体が呈示されるインタフェース手段と、
このインタフェース手段に上記電子マネー媒体が呈示されたとき、その電子マネー媒体の所有者の所有者情報を取得するとともに、その電子マネー媒体を呈示した者の照合対象情報を情報取得部により取得する情報取得手段と、
上記照合対象情報を上記所有者情報と照合して、上記照合対象情報が上記所有者情報と一致するか否かを判定し、上記照合対象情報が上記所有者情報と一致するときには、上記電子マネー媒体の使用を認める処理を行い、上記照合対象情報が上記所有者情報と一致しないときには、上記電子マネー媒体の使用を認めない処理を行う情報処理手段と、
を備える電子マネー端末装置。
【請求項８】
請求項７の電子マネー端末装置において、
上記所有者情報は、上記所有者の生体情報であり、
上記照合対象情報は、上記呈示者の生体情報である、
ことを特徴とする電子マネー端末装置。
【請求項９】
請求項７の電子マネー端末装置において、
上記所有者情報は、上記所有者の使用状況を示す使用状況情報であり、
上記照合対象情報は、上記電子マネー媒体が呈示されたときの状況を示す呈示状況情報である、
ことを特徴とする電子マネー端末装置。
【請求項１０】
請求項７の電子マネー端末装置において、
上記所有者情報は、上記電子マネー媒体に記録されたものであることを特徴とする電子マネー端末装置。
【請求項１１】
請求項７の電子マネー端末装置において、
上記所有者情報は、当該電子マネー端末装置とネットワークを介して接続される管理サーバに登録されたものであり、その管理サーバから当該電子マネー端末装置に送信されることを特徴とする電子マネー端末装置。
【請求項１２】
請求項７の電子マネー端末装置において、
上記電子マネー媒体は、上記情報処理手段が上記照合対象情報を上記所有者情報と照合すべきロックオン状態と、上記情報処理手段が上記照合対象情報を上記所有者情報と照合することなく当該電子マネー媒体の使用を認める処理を実行すべきロックオフ状態との、いずれにも設定可能とされたことを特徴とする電子マネー端末装置。
【請求項１３】
電子的なデータで表現された電子マネーを保持する電子マネー媒体が挿入される媒体挿入口と、
この媒体挿入口に挿入された電子マネー媒体を認識して、その電子マネー媒体に保持された電子マネーの少なくとも一部を、その電子マネー媒体の所有者に返還する処理を実行する情報処理手段と、
を備える電子マネー届出装置。
【請求項１４】
請求項１３の電子マネー届出装置において、
上記情報処理手段は、さらに、上記電子マネー媒体に保持された電子マネーの少なくとも一部を、その電子マネー媒体を届け出た者に給付する処理を実行することを特徴とする電子マネー届出装置。
【請求項１５】
装置に設けられた媒体挿入口に挿入された、電子的なデータで表現された電子マネーを保持する電子マネー媒体を認識する工程と、
上記電子マネー媒体に保持された電子マネーの少なくとも一部を、その電子マネー媒体の所有者に返還する処理を実行する工程と、
を備える情報処理方法。
【請求項１６】
請求項１５の情報処理方法において、
さらに、上記電子マネー媒体に保持された電子マネーの少なくとも一部を、その電子マネー媒体を届け出た者に給付する処理を実行する工程を備えることを特徴とする情報処理方法。
【手続補正２】
【補正対象書類名】明細書
【補正対象項目名】発明の名称
【補正方法】変更
【補正の内容】
【発明の名称】情報処理方法、電子マネー端末装置および電子マネー届出装置
【手続補正３】
【補正対象書類名】明細書
【補正対象項目名】００１７
【補正方法】変更
【補正の内容】
【００１７】
この発明の情報処理方法は、
電子的なデータで表現された電子マネーを保持する電子マネー媒体が電子マネー端末に呈示されたとき、その電子マネー媒体の所有者の所有者情報を取得するとともに、その電子マネー媒体を呈示した者の照合対象情報を情報取得部により取得する情報取得工程と、
上記照合対象情報を上記所有者情報と照合して、上記照合対象情報が上記所有者情報と一致するか否かを判定する照合工程と、
上記照合対象情報が上記所有者情報と一致するときには、上記電子マネー媒体の使用を認める処理を行い、上記照合対象情報が上記所有者情報と一致しないときには、上記電子マネー媒体の使用を認めない処理を行う処分工程と、
を備えるものである。
【手続補正４】
【補正対象書類名】明細書
【補正対象項目名】００１８
【補正方法】変更
【補正の内容】
【００１８】
この場合、１つの方法では、上記所有者情報は、上記所有者の生体情報とし、上記照合対象情報は、上記呈示者の生体情報とする。また、１つの方法では、上記所有者情報は、上記所有者の使用状況を示す使用状況情報とし、上記照合対象情報は、上記電子マネー媒体が呈示されたときの状況を示す呈示状況情報とする。
【手続補正５】
【補正対象書類名】明細書
【補正対象項目名】００２０
【補正方法】変更
【補正の内容】
【００２０】
この発明の情報処理方法では、照合対象情報が所有者情報と一致しないときには、当該電子マネー媒体の使用が認められないので、電子マネーの不正使用を防止することができ、記名式と同等のセキュリティーを得ることができる。しかも、電子マネー媒体を呈示する者は自身の名前を申告または入力する必要がないので、電子マネーの流通性を損ねることがない。